(57)【特許請求の範囲】
【請求項１】
吸収性コアと、その外側に配置された外装体とを備えるパンツ型使い捨ておむつであって、
前記おむつは、前記吸収性コアの両側部に、該おむつの長手方向に沿う一対の防漏カフを有し、
前記防漏カフは、その固定端が、前記吸収性コアよりも非肌対向面側に設けられており、
前記吸収性コアは、中央吸収体と、該中央吸収体の両側部に配置された、長手方向に延びる一対のサイド吸収体とを具備し、該中央吸収体と一対の該サイド吸収体との間それぞれに、長手方向に延びる開口からなる屈曲誘導部を有しており、
前記吸収性コアは、その肌対向面が表面シートで被覆されており、該表面シートは、該吸収性コアの両側縁から幅方向外方に延出した延出部位を有し、該延出部位が該吸収性コアの非肌対向面側に折り返されて、該非肌対向面を被覆しており、
前記表面シートの前記延出部位は、該延出部位よりも前記外装体側に位置し且つ該延出部位に隣接する部材である、前記防漏カフを構成するシート材料と接合されており、
前記延出部位と前記シート材料との接合位置が、前記屈曲誘導部よりも幅方向の外方にあり、
前記防漏カフの前記固定端が、前記表面シートの前記延出部位と、前記防漏カフを構成する前記シート材料との前記接合位置よりも、幅方向の外方に位置しており、
前記吸収性コアの両側縁に、該側縁に沿って第１の弾性部材を配するとともに、前記防漏カフの前記固定端又はその近傍の位置に第２の弾性部材を配し、第１の弾性部材と前記接合位置との間で、前記サイド吸収体が屈曲するようにした、パンツ型使い捨ておむつ。
【請求項２】
前記外装体は、前記おむつの着用時に着用者の腹側に配される腹側部と、着用者の背側に配される背側部と、その間に位置する股下部とを有し、
前記外装体は、前記股下部において、前記延出部位と該延出部位に隣接する前記部材との接合位置よりも幅方向外方の位置に、レッグ弾性部材を有している請求項１に記載のパンツ型使い捨ておむつ。
【請求項３】
前記レッグ弾性部材が、前記外装体の前記股下部におけるレッグ開口縁に沿って配置されている請求項２に記載のパンツ型使い捨ておむつ。 
【請求項４】
前記レッグ弾性部材が、前記外装体の前記腹側部及び前記背側部のそれぞれにおいて別個に配されており、
前記腹側部に配された前記レッグ弾性部材が前記吸収性コアの側縁と交差する位置と、前記背側部に配された前記レッグ弾性部材が前記吸収性コアの側縁と交差する位置が異なっている請求項２又は３に記載のパンツ型使い捨ておむつ。
【請求項５】
前記レッグ弾性部材の伸縮領域における幅方向内側端部が、前記表面シートの延出部位と前記延出部位に隣接する部材との接合部の幅方向外側端部よりも内側に配されており、
前記レッグ弾性部材の伸縮領域の一部が前記接合部と交差する、請求項２ないし４のいずれか一項に記載のパンツ型使い捨ておむつ。
【請求項６】
前記外装体は、前記腹側部又は前記背側部において、前記吸収性コアを含む吸収性本体の両側縁よりも幅方向外方の位置に、幅方向に延びる胴周り弾性部材を有しており、
前記おむつの展開状態での平面視において、前記胴周り弾性部材の一部と前記レッグ弾性部材の一部とが重なっている請求項２ないし５のいずれか一項に記載のパンツ型使い捨ておむつ。
【請求項７】
前記吸収性コアの肌対向面及び非肌対向面が被覆シートで被覆されており、
前記吸収性コアの前記屈曲誘導部において、肌対向面側の前記被覆シートと、非肌対向面側の前記被覆シートとが接合されている請求項１ないし６のいずれか一項に記載のパンツ型使い捨ておむつ。
【請求項８】
前記表面シートのうち、一方の前記サイド吸収体の一部から、他方の前記サイド吸収体の一部にわたる幅方向の領域は、肌対向面が凹凸構造を有している請求項１ないし７のいずれか一項に記載のパンツ型使い捨ておむつ。
【請求項９】
前記吸収性コアの前記サイド吸収体は、前記中央吸収体よりも坪量が低くなっている請求項１ないし８のいずれか一項に記載のパンツ型使い捨ておむつ。
【発明の詳細な説明】
【技術分野】
【０００１】
本発明はパンツ型使い捨ておむつに関する。
【背景技術】
【０００２】
使い捨ておむつにおける吸収体の左右の側部を着用者の身体側に向けて起立させ、おむつのフィット性を高めたり、液の横漏れを防止したりする技術が知られている。例えば特許文献１には、立体ギャザーの基端部を、吸収体の両側部における非肌対向面に固定し、該立体ギャザーに取り付けられている糸条弾性伸縮部材の収縮力を利用して、吸収体の側部を屈曲・起立させることが記載されている。このおむつにおいては、表面シートのうち、吸収体の側縁から外方に延出した部位を、該吸収体の裏面側まで延在させて固定するとともに、延出した表面シートと前記立体ギャザーとを、該吸収体の裏面側で固定している。
【０００３】
特許文献１に記載の技術とは別に、使い捨ておむつの吸収体に屈曲誘導部を設けて吸収体を変形される技術も知られている。例えば特許文献２には、吸収体を長手方向において二等分する中心線から後身頃側における後縁までの所定位置に、屈曲誘導部を形成することが記載されている。屈曲誘導部は、吸収体における長手方向の中央部の位置に、縦中心線に沿ってその両側に設けられる。
【先行技術文献】
【特許文献】
【０００４】
【特許文献１】特開２００１−３４０３８０号公報
【特許文献２】特開２００８−０１２１９７号公報
【発明の概要】
【発明が解決しようとする課題】
【０００５】
特許文献１及び特許文献２に記載のような、吸収体を屈曲させて起立させるタイプの使い捨ておむつにおいては、低月齢児のような、脚を開閉する動作を頻繁に行うことが多い着用者の動作に起因して、起立した吸収体が内側に向けて倒伏しやすくなることがある。その結果、排泄物を受け入れる空間が狭くなり、そのことに起因して、排泄物を受け入れられなかったり、あるいは排泄物が倒伏した吸収体を乗り越えて漏れ出してしまったりすることがある。
【０００６】
したがって本発明の課題は使い捨ておむつの改良にあり、更に詳細には、排泄物を受け入れるための広い空間を安定的に維持し得るパンツ型使い捨ておむつを提供することにある。
【課題を解決するための手段】
【０００７】
本発明は、吸収性コアと、その外側に配置された外装体とを備えるパンツ型使い捨ておむつであって、
前記吸収性コアは、中央吸収体と、該中央吸収体の両側部に配置された、長手方向に延びる一対のサイド吸収体とを具備し、該中央吸収体と一対の該サイド吸収体との間それぞれに、長手方向に延びる開口からなる屈曲誘導部を有しており、
前記吸収性コアは、その肌対向面が表面シートで被覆されており、該表面シートは、該吸収性コアの両側縁から幅方向外方に延出した延出部位を有し、該延出部位が該吸収性コアの非肌対向面側に折り返されて、該非肌対向面を被覆しており、
前記表面シートの前記延出部位は、該延出部位よりも前記外装体側に位置し且つ該延出部位に隣接する部材と接合されており、
前記延出部位と前記延出部位に隣接する部材との接合位置が、前記屈曲誘導部よりも幅方向の外方にあり、
前記吸収性コアの両側縁に、該側縁に沿って弾性部材を配し、該弾性部材と前記接合位置との間で、前記サイド吸収体が屈曲するようにした、パンツ型使い捨ておむつを提供するものである。
【発明の効果】
【０００８】
本発明のパンツ型使い捨ておむつによれば、その着用状態において着用者が脚を激しく開閉しても、排泄物を受け入れ、且つその漏れを防止するための広い空間を安定的に維持することができる。
【図面の簡単な説明】
【０００９】
【図１】図１は本発明のパンツ型使い捨ておむつの一実施形態を示す斜視図である。
【図２】図２は、図１に示すおむつを、そのサイドシール部で開き、平面に展開した状態を表面シート側からみた平面図である。
【図３】図３（ａ）は、図１に示すおむつにおける吸収性コアの平面図であり、図３（ｂ）は、図３（ａ）におけるｂ−ｂ線断面図であり、図３（ｃ）は、図３（ａ）におけるｃ−ｃ線断面図である。
【図４】図４（ａ）は、図２におけるIV−IV線断面図であり、図４（ｂ）は、図４（ａ）における要部拡大図である。
【図５】図５は、おむつの着用状態での図２におけるIV−IV線断面図である。
【図６】図６は、弾性部材の配置状態を示す平面図（図２相当図）である。
【図７】図７は、本発明のおむつの別の実施形態を示す断面図（図５相当図）である。
【図８】図８は、本発明のおむつの更に別の実施形態を示す断面図（図５相当図）である。
【図９】図９は、本発明のおむつの更に別の実施形態を示す断面図（図５相当図）である。
【図１０】図１０は、本発明のおむつの更に別の実施形態を示す斜視図である。
【発明を実施するための形態】
【００１０】
以下本発明を、その好ましい実施形態に基づき図面を参照しながら説明する。図１には、本発明のパンツ型使い捨ておむつの一実施形態の斜視図が示されている。図２は、図１に示すおむつを、そのサイドシール部Ｓで開き、平面に展開した状態を表面シート側からみた平面図である。図１及び図２に示すおむつ１０は、いわゆるパンツ型のおむつである。おむつ１０は、吸収性本体２０と、該吸収性本体２０の非肌対向面側に位置する外装体３０とを具備する。このおむつ１０は、着用時に着用者の腹側に配される腹側部Ａと、着用者の背側に配される背側部Ｂと、その間に位置する股下部Ｃとに区分されるおむつ１０において、腹側部Ａから背側部Ｂにわたる方向を長手方向Ｘといい、これと直交する方向を幅方向Ｙという。股下部Ｃは、後述する外装体３０の側縁が、幅方向Ｙの内方に向けて括れた領域であり、おむつ１０の着用状態において着用者の股間部に配される。腹側部Ａは、おむつ１０の着用状態において股下部Ｃよりも、着用者の腹側に位置する領域である。背側部Ｂは、おむつ１０の着用状態において股下部Ｃよりも、着用者の背側に位置する領域である。
【００１１】
本発明において、「肌対向面側」とは、おむつ１０の各部材の表裏両側（面）のうち、おむつ１０の着用状態において着用者の肌側に配される側（面）のことである。「非肌対向面側」とは、おむつ１０の各部材の表裏両側（面）のうち、おむつ１０の着用状態において着用者の肌側と反対側に配される側（面）である。また、以下の説明において、「長手方向」とは、各部材の長辺と平行な方向である。また、以下の説明において「幅方向」という語句を使用することがあるが、これは、該長手方向と直交する方向のことである。
【００１２】
吸収性本体２０は縦長矩形形状をなし、その長手方向を、おむつ１０の長手方向に一致させて、腹側部Ａから背側部Ｂにわたるように、ホットメルト型接着剤等の公知の接合手段により外装体３０の幅方向中央部に接合されている。外装体３０は、腹側部Ａに位置する部分の両側縁部と背側部Ｂに位置する部分の両側縁部とが、ヒートシール、超音波シール等の公知の接合手段により互いに接合されている。これによりおむつ１０には一対のサイドシール部Ｓが形成されている。また、その接合によって、おむつ１０に、ウエスト開口部１１及び一対のレッグ開口部１２，１２が形成されて、外装体３０はパンツ型の立体形状となる。
【００１３】
図２に示すように、外装体３０は、内層シート３１及び外層シート３２と、これら２枚のシート間に固定された各部の糸状弾性部材とからなる。各部の弾性部材については後述する。内層シート３１及び外層シート３２は、幅方向Ｙにおいては同形である。長手方向Ｘにおいては、内層シート３１の前後の端部から外層シート３２が延出しており、延出部位３２Ｅが、吸収性本体２０の長手方向前後端域を被覆している。外装体３０の外縁は、展開状態のおむつ１０の輪郭をなしている。内層シート３１及び外層シート３２は、好適には同一の又は異なる通気性シート、例えば各種の方法で製造された不織布から構成されている。
【００１４】
外装体３０におけるウエスト開口縁には、該開口縁に沿っておむつ１０の幅方向に延びる複数のウエスト弾性部材３３が伸長状態で配されている。また、外装体３０におけるレッグ開口縁には、該開口縁に沿って複数のレッグ弾性部材３４が伸長状態で配されている。図１に示すように、レッグ弾性部材３４は、おむつ１０の股下部Ｃにおいて、外装体３０をその幅方向に向けて横切るようには配されていない。したがって外装体３０は、おむつ１０の股下部Ｃにおいて、外装体３０の幅方向中央域に非伸縮性領域を有している。
【００１５】
レッグ弾性部材３４は、図２に示すとおり、外装体３０の腹側部Ａ及び背側部Ｂのそれぞれにおいて別個に配置されている。すなわちレッグ弾性部材３４は、腹側部Ａに配された腹側部レッグ弾性部材３４Ａと、背側部Ｂに配された背側部レッグ弾性部材３４Ｂからなり、腹側部レッグ弾性部材３４Ａとレッグ弾性部材３４Ｂとは、互いに別個の連続体からなる。換言すれば、腹側部Ａから背側部Ｂにわたる弾性部材の連続体は外装体３０に存在していない。
【００１６】
図２に示すとおり、おむつ１０の股下部Ｃは、幅方向Ｙの内方に向けて括れており、最も括れた位置（図２中、一点鎖線Ｌで示す位置）は、おむつ１０を長手方向Ｘに前後に二等分する位置よりも腹側部Ａ側寄りに偏倚している。また、腹側部レッグ弾性部材３４Ａが吸収性コア２３の側縁と交差する位置Ｔ１と、背側部レッグ弾性部材３４Ｂが吸収性コア２３の側縁と交差する位置Ｔ２とは一致しておらず、交差位置Ｔ１，Ｔ２は、長手方向Ｘに沿って別個の位置になっている。更に、腹側部レッグ弾性部材３４Ａと背側部レッグ弾性部材３４Ｂとは、吸収性本体２０の側縁よりも幅方向Ｙの内方位置において交差しており、両弾性部材３４Ａ，３４Ｂの交差位置Ｔ３は、おむつ１０を長手方向Ｘに前後に二等分する位置よりも腹側部Ａ側寄りに偏倚している。位置Ｔ３は、股下部Ｃのうち、最も括れている位置（図２中、一点鎖線Ｌで示す位置）と略一致している。
【００１７】
ウエスト弾性部材３３とレッグ弾性部材３４との間には、おむつ１０の幅方向Ｙに延びる複数の胴周り弾性部材３５が伸長状態で配されている。胴周り弾性部材３５は、外装体３０の腹側部Ａ及び背側部Ｂにおいて、吸収性本体２０の両側縁よりも幅方向Ｙの外方の位置に、伸長状態で配されている。また胴周り弾性部材３５は、吸収性本体２０を横断しないように配置されている。
【００１８】
吸収性本体２０は、図２に示すとおり吸収性コア２３を有している。吸収性コア２３は、図３に示すとおり、下部吸収体２３ａとその上に配置された上部吸収体２３ｂとの二層構造になっている。上部吸収体２３ｂは平面視して略Ｔ字形をしている。下部吸収体２３ａは上部吸収体２３ｂよりも大きな寸法を有し、全体として縦長の矩形をしている。下部吸収体２３ａは、その長手方向Ｘに沿って一対の縦長の開口２３１ａを有している。開口２３１ａは下部吸収体２３ａの長手方向Ｘに延びている。開口２３１ａは、下部吸収体２３ａの長手方向Ｘの各端縁までは延びておらず、下部吸収体２３ａの長手方向Ｘの略中央域にのみ形成されている。
【００１９】
各開口２３１ａは、下部吸収体２３ａの縦中心線に関して左右対称な位置に形成されている。開口２３１ａは、直線部２３１ｂ及び該直線部２３１ｂの各端部に連なる円弧部２３１ｃによって画定される略弓形の細長い形状をしている。各開口２３１ａにおいては、その直線部２３１ｂが、下部吸収体２３ａの幅方向Ｙの外方寄りに位置し、円弧部２３１ｃが下部吸収体２３ａの幅方向Ｙの内方寄りに位置している。
【００２０】
一方、略Ｔ字形をなす上部吸収体２３ｂはその脚部２３２ａが、下部吸収体２３ａにおける一対の開口２３１ａ間の領域に位置している。脚部２３２ａの長さは開口２３１ａの長さとほぼ同じになっている。上部吸収体２３ｂの頭部２３２ｂは、下部吸収体２３ａの腹側部側の領域に位置している。頭部２３２ｂの幅は下部吸収体２３ａの幅よりも若干狭くなっている。
【００２１】
下部吸収体２３ａ及び上部吸収体２３ｂを備えた吸収性コア２３は、その平面視において、中央吸収体２３ｃと、該中央吸収体２３ｃの両側部に配置された、長手方向Ｘに延びる一対のサイド吸収体２３ｄとを備えている。中央吸収体２３ｃとサイド吸収体２３ｄとは、開口２３１ａによって離間されている。中央吸収体２３ｃとサイド吸収体２３ｄと隔離する開口２３１ａは、吸収性コア２３においてサイド吸収体２３ｄを屈曲させて起立させる屈曲誘導部として作用する。
【００２２】
吸収性コア２３を含む吸収性本体２０は、図４（ａ）に示すように、吸収性コア２３の肌対向面を被覆する表面シート２１と、吸収性コア２３の非肌対向面を被覆する裏面シート２２とを備えている。表面シート２１は液透過性のシートからなり、おむつ１０の着用状態において着用者の肌に対向する。表面シート２１は、吸収性コア２３の両側縁から幅方向外方に延出した延出部位２１Ｅを有し、該延出部位２１Ｅが吸収性コア２３の非肌対向面側に折り返されて、該吸収性コア２３の非肌対向面も被覆している。延出部位２１Ｅの側縁２１Ｅ’は、吸収性コア２３の開口２３１ａを越えて、概ね中央吸収体２３ｃにまで達している。「概ね」とは、延出部位２１Ｅの側縁２１Ｅ’が中央吸収体２３ｃにまで達している場合、及び該側縁２１Ｅ’と中央吸収体２３ｃの側縁との距離が１０ｍｍ以下である場合の双方を包含する。裏面シート２２は、吸収性コア２３の長手方向Ｘの全域を被覆し、且つ幅方向Ｙの全域も被覆している。裏面シート２２は液不透過性ないし撥水性のシートからなり、外装体３０と対向している。裏面シート２２における非肌対向面には接着剤２２ａが塗布されており、この接着剤２２ａによって、吸収性本体２０と外装体３０とが固定されている。接着剤２２ａは、吸収性コア２３と対向する位置に施されている。
【００２３】
図４（ａ）に示すとおり、吸収性コア２３は、肌対向面及び非肌対向面の双方が被覆シート２４で被覆されており、吸収性コア２３と被覆シート２４とで吸収体２５をなしている。吸収体２５の具体的な形態によっては、吸収性コア２３の肌対向面及び非肌対向面の双方が被覆シート２４で被覆されていない場合もある。吸収体２５の左右両側縁には、該側縁に沿って長手方向Ｘに延びる弾性部材２５’が伸長状態で配されている。この弾性部材２５’は吸収性コア２３の概ね全長にわたって配されている。弾性部材２５’は、表面シート２１と、吸収体２５を構成する被覆シート２４との間に位置しており、両シートに接合されている。弾性部材２５’は、上述したサイド吸収体２３ｄの屈曲及び起立の補助の目的で用いられる。「概ね全長」とは、吸収性コア２３の全長にわたって弾性部材２５’が配されている場合だけでなく、吸収性コア２３の全長に対して６０％以上１００％以下の長さで弾性部材２５’が配されている場合も包含する。
【００２４】
表面シート２１及び裏面シート２２としては、当該技術分野において従来用いられてきたものと同様のものを特に制限なく用いることができる。例えば、表面シート２１としては、液透過性を有する不織布や、穿孔フィルムを用いることができる。裏面シート２２としては、合成樹脂製の液不透過性フィルムや、スパンボンド−メルトブローン−スパンボンド積層不織布等の耐水圧が高い撥水性の不織布を用いることができる。裏面シート２２が液不透過性である場合、該シート２２は水蒸気透過性を有していてもよい。防漏性及び通気性の観点から、裏面シート２２は、水蒸気透過性を有する合成樹脂製の液不透過性フィルムが好ましい。吸収性コア２３は例えば、パルプ等のセルロース系繊維からなる吸液性繊維と、高吸収性ポリマー等のヒドロゲル材料からなる粒子との混合体から構成されているか、又は該混合体がティッシュペーパーや不織布等からなる液透過性シートで包被されて構成されている。吸収性コア２３を構成する下部吸収体２３ａと上部吸収体２３ｂとは、同組成の材料で構成されていてもよく、あるいは異なる組成の材料で構成されていてもよい。
【００２５】
図４（ａ）に示すように、吸収性本体２０はおむつの長手方向Ｘに沿う両側部に一対の防漏カフ４０，４０を有している。防漏カフ４０は、矩形をした撥水性のシート材料４２を二つ折りし、二つ折りされた状態の該シート材料４２における側部域を、裏面シート２２と、表面シート２１の延出部位２１Ｅとの間に介在配置させるとともに、二つ折りされた状態の該シート材料４２における折り線を幅方向Ｙの外方に位置させることで形成されている。防漏カフ４０を構成するシート材料４２は、吸収体２５におけるサイド吸収体２３ｄの非肌対向面側において、表面シート２１の延出部位２１Ｅと、接着剤４０ａによって接合されている。換言すれば、表面シート２１の延出部位２１Ｅは、該延出部位２１Ｅよりも外装体３０側に位置し且つ該延出部位２１Ｅと隣接する部材であるシート材料４２と接合されている。この接合によって、長手方向Ｘに延びる接合部４３が形成されている。接合部４３は、上述した開口２３１ａからなる屈曲誘導部よりも幅方向Ｙの外方に位置しており、該屈曲誘導部よりも幅方向Ｙの内方に接合部４３は形成されていない。また、防漏カフ４０を構成するシート材料４２は、裏面シート２２における肌対向面と、接着剤（図示せず）によっても接合されている。
【００２６】
図４（ａ）の要部拡大図である図４（ｂ）に示すとおり、サイド吸収体２３ｄの非肌対向面側における前記の接着剤４０ａによる接合部４３は、サイド吸収体２３ｄの幅方向Ｙの全域に形成されておらず、開口２３１ａ側に偏倚した領域に形成されている（以下、この領域を「接合領域４３ａ」という。）。接合領域４３ａよりも幅方向Ｙの外方の領域には接着剤４０ａは施されておらず、表面シート２１の延出部位２１Ｅと、防漏カフ４０を構成するシート材料４２とは非接合状態になっている（以下、この領域を「非接合領域４３ｂ」という。）。このように、サイド吸収体２３ｄの非肌対向面側には、幅方向Ｙに沿って、内方から外方に向けて接合領域４３ａと非接合領域４３ｂとが並設されている。
【００２７】
防漏カフ４０における自由端４０’、すなわち二つ折りされた状態のシート材料４２における折り線の位置には、弾性部材４１ａが伸長状態で該シート材４２に固定されている。また防漏カフ４０における固定端、すなわち、シート材料４２と裏面シート２２との接合位置には、弾性部材４１ｂが伸長状態で該シート材４２に固定されている。これらの弾性部材４１ａ，４１ｂが収縮することで、おむつ１０の着用状態において、防漏カフ４０が着用者の身体に向けて起立するようになる。
【００２８】
図５には、図１ないし図４に示すおむつ１０の着用状態での幅方向断面図が示されている。同図に示すとおり、おむつ１０の吸収性コア２３においては、該吸収性コア２３のうち、サイド吸収体２３ｄが、弾性部材２５’の収縮によって、開口２３１ａからなる屈曲誘導部を起点として、外装体３０から離間するように屈曲する。この場合、開口２３１ａからなる屈曲誘導部において、肌対向面側の被覆シート２４と、非肌対向面側の被覆シート２４とが接着剤等の接合手段によって接合されていると、該屈曲誘導部を起点とするサイド吸収体２３ｄの屈曲が円滑に起こる。その結果、吸収性コア２３における意図しない位置での屈曲が効果的に防止される。
【００２９】
屈曲誘導部を起点としてサイド吸収体２３ｄが着用者の身体に向けて屈曲する場合、該サイド吸収体２３ｄはその全体が一様に屈曲せず、幅方向Ｙの部位に応じて屈曲の程度が相違する。具体的には、サイド吸収体２３ｄのうち、上述した図４（ｂ）に示す接合領域４３ａに対応する部位と、非接合領域４３ｂに対応する部位とでは、中央吸収体２３ｃを基準とする屈曲の程度が相違する。この理由は次のとおりである。上述したとおり、サイド吸収体２３ｄはその非肌対向面側において、表面シート２１の延出部位２１Ｅと、防漏カフ４０を構成するシート材料４２とが接合部４３の位置で接合されている。この接合状態下に屈曲誘導部を起点としてサイド吸収体２３ｄが屈曲すると、前記の接合に起因して、サイド吸収体２３ｄのうち、接合領域４３ａに対応する部位での屈曲が規制され、サイド吸収体２３ｄは、その幅方向Ｙにおける弾性部材２５’と接合部４３との間、すなわち非接合領域４３ｂに対応する部位が優先的に屈曲するようになる。
【００３０】
以上の理由によって、サイド吸収体２３ｄは、図５に示すとおり、中央吸収体２３ｃに対して屈曲変形するとともに、該サイド吸収体２３ｄ自体が幅方向外側に突出する方向に略Ｌ字をなすように屈曲する。吸収性コア２３がこのように２段階に屈曲することで、本実施形態のおむつ１０においては、その着用状態において着用者の動作、特に低月齢児にしばしば観察される脚をばたばたと激しく開閉する動作に起因して吸収性コア２３に過度の外力が加わっても、おむつ１０の肌対向面側に、中央吸収体２３ｃとサイド吸収体２３ｄとで画成される空間、すなわち幅及び高さが安定的に維持される。その結果、排泄物の受け入れ性が向上するとともに、受け入れた排泄物の横漏れが効果的に防止される。
【００３１】
特に、本実施形態においては、吸収体２５よりも非肌対向面側に防漏カフ４０の固定端が設けられているので、防漏カフ４０の起立によってサイド吸収体２３ｄの２段階屈曲が促進されるという利点がある。とりわけ、図４及び図５に示すとおり、防漏カフ４０の固定端が、表面シート２１の延出部位２１Ｅと、防漏カフ４０を構成するシート材料４２との接合部４３よりも、幅方向Ｙの外方に位置していると、サイド吸収体２３ｄの略Ｌ字状の屈曲変形が一層促進されるので有利である。更に、防漏カフ４０の固定端又はその近傍の位置に弾性部材４１ｂが配置されていると、防漏カフ４０の起立によるサイド吸収体２３ｄの略Ｌ字状の屈曲変形が一層促進されるので特に好ましい。
【００３２】
先に述べたとおり、おむつ１０の外装体３０にはレッグ弾性部材３４（図２参照）が配されている。このレッグ弾性部材３４と、上述した接合部４３との位置関係に関し、外装体３０の股下部Ｃにおいてレッグ弾性部材３４が、図４及び図５に示すとおり、接合部４３よりも幅方向Ｙの外方に位置していると、該レッグ弾性部材３４の収縮によって外装体３０に生じる変形力が吸収性本体２０に伝播し、そのことに起因して、サイド吸収体２３ｄの略Ｌ字状の屈曲変形が一層促進されるので好ましい。この場合、レッグ弾性部材３４が、図２に示すとおり外装体３０の股下部Ｃにおける周縁に沿って配置されていると、レッグ弾性部材３４の収縮によって外装体３０に生じる変形力が吸収性本体２０に一層伝播しやすくなるので有利である。
【００３３】
また、レッグ弾性部材３４に関しては、上述したとおり、該レッグ弾性部材３４は、外装体３０の腹側部Ａ及び背側部Ｂのそれぞれにおいて別個に配置されている（図２及び図６参照）。そして、図６に示すとおり、腹側部レッグ弾性部材３４Ａが吸収性コア２３の側縁と交差する位置Ｔ１と、背側部レッグ弾性部材３４Ｂが吸収性コア２３の側縁と交差する位置Ｔ２が異なっている。そのことに起因して、これらの弾性部材３４Ａ，３４Ｂが収縮すると、収縮によって外装体３０に生じる変形力が、これらの弾性部材３４Ａ，３４Ｂの延びる方向に向け、互いに反対方向Ｄ１，Ｄ２に生じる。このように、サイド吸収体２３ｄにおいては、異なる交差位置Ｔ１，Ｔ２から互いに異なる方向へ向けて変形力が作用するので、サイド吸収体２３ｄが意図せず中央吸収体側に向けて倒伏することが効果的に防止される。
【００３４】
特に図２及び図６に示すとおり、腹側部レッグ弾性部材３４Ａ及び背側部レッグ弾性部材３４Ｂが吸収性コア２３とそれぞれ交差する位置Ｔ１，Ｔ２が異なり、且つ両弾性部材３４Ａ，３４Ｂの交差位置Ｔ３が、おむつ１０を長手方向Ｘに前後に二等分する位置よりも腹側部Ａ側寄りに偏倚していると、屈曲後のサイド吸収体２３ｄと中央吸収体２３ｃとで画成される空間を十分に確保することができ、排泄物の受け入れ性が一層向上するとともに、受け入れた排泄物の横漏れが一層効果的に防止される。
【００３５】
また、レッグ弾性部材３４に関しては、上述したとおり、腹側部レッグ弾性部材３４Ａと背側部レッグ弾性部材３４Ｂとは、吸収性本体２０の側縁よりも幅方向Ｙの内方位置において交差している。また、おむつ１０の股下部Ｃにおいて、外装体３０はその幅方向中央域に非伸縮性領域３６を有している。つまり、レッグ弾性部材３４は非伸縮性領域３６の幅方向外方で外装体３０に接合されている。そして、レッグ弾性部材３４と外装体３０との接合部における幅方向内側端部３４Ｅよりも幅方向外側の領域が伸縮領域となっている。このように、本実施形態においては、レッグ弾性部材３４の伸縮領域における幅方向内側端部３４Ｅが、前述の表面シート２１の延出部位２１Ｅとそれに隣接する部材であるシート材料４２との接合部４３の幅方向外側端部よりも内側に配されている。これに加えて、レッグ弾性部材３４の伸縮領域の一部が接合部４３の幅方向外側端部と交差している。これらのことに起因して、腹側部レッグ弾性部材３４Ａ及び背側部レッグ弾性部材３４Ｂが収縮すると、収縮によって外装体３０に生じる変形力が、これらの弾性部材３４Ａ，３４Ｂの延びる方向に向け、互いに反対方向Ｄ１，Ｄ２に生じ、その変形力が外装体３０の幅方向中央域の近傍にまで一層作用するようになる。その結果、サイド吸収体２３ｄが意図せず中央吸収体２３ｃ側に向けて倒伏することが効果的に防止される。
【００３６】
レッグ弾性部材３４に加えて、おむつ１０の外装体３０には胴周り弾性部材３５が配されている。外装体３０の平面視において、胴周り弾性部材３５は、図６に示すとおり、胴周り弾性部材３５の一部とレッグ弾性部材３４の一部とが重なっている。詳細には、外装体３０のうち、サイドシール部Ｓが形成される部位及びその近傍の部位において胴周り弾性部材３５とレッグ弾性部材３４とが重なって配置されている。両弾性部材３４，３５がこのような関係で配置されていることによっても、これらの弾性部材３４，３５の収縮に起因する変形力がサイド吸収体２３ｄに効果的に伝播し、サイド吸収体２３ｃの略Ｌ字状の屈曲変形が一層促進されるので好ましい。
【００３７】
おむつ１０において、吸収性本体２０を構成する表面シート２１のうち、一方のサイド吸収体２３ｄの一部から、他方のサイド吸収体２３ｄの一部にわたる幅方向Ｙの領域は、肌対向面が凹凸構造を有していることが好ましい。この凹凸構造の存在によって、サイド吸収体２３ｄが意図せず中央吸収体側に向けて倒伏しにくくなるからである。表面シート２１における凹凸構造の部位は、中央吸収体２３ｃ及び開口２３１ａの幅方向Ｙの全域を被覆し、且つサイド吸収体２３ｄにおける開口２３１ａ寄りの位置を被覆することが好ましい。サイド吸収体２３ｄの倒伏を一層効果的に防止する観点からは、表面シート２１の凹凸構造は厚みのある嵩高な構造であることが有利である。そのような凹凸構造の表面シートは、例えば特開２００４−１７４２３４号公報等に記載されている。同公報に記載されている表面シートは、着用者の肌側に向けられ且つシート状物からなる上層と、吸収体側に配され且つシート状物からなる下層とを有しており、該上層と該下層とが部分的に接合されて多数の接合部が形成されており、該上層が、該接合部以外の部分において着用者の肌側に向けて突出して、内部が空洞となっている多数の凸部を形成しているものである。
【００３８】
屈曲後のサイド吸収体２３ｄと中央吸収体２３ｃとで画成される空間を十分に確保する観点からは、サイド吸収体２３ｄは、中央吸収体２３ｃよりも坪量が低くなっていることが好適である。この場合、サイド吸収体２３ｄの坪量（ｇ／ｍ２）は、中央吸収体２３ｃの坪量（ｇ／ｍ２）に対して、２０％以上、特に３５％以上であることが好ましく、８０％以下、特に６５％以下であることが好ましい。例えばサイド吸収体２３ｄの坪量（ｇ／ｍ２）は、中央吸収体２３ｃの坪量（ｇ／ｍ２）に対して、２０％以上８０％以下、特に３５％以上６５％以下であることが好ましい。本実施形態では、中央吸収体２３ｃは、下部吸収体２３ａと上部吸収体２３ｂの積層構造から構成されているところ、中央吸収体２３ｃの坪量とは、該中央吸収体２３ｃに対応する下部吸収体２３ａと上部吸収体２３ｂとの合計の坪量のことである。
【００３９】
前記と同様の観点から、サイド吸収体２３ｄは、中央吸収体２３ｃよりも厚みが小さくなっていることが好適である。この場合、サイド吸収体２３ｄの厚み（ｍｍ）は、中央吸収体２３ｃの厚み（ｍｍ）に対して、１０％以上、特に２０％以上であることが好ましく、７０％以下、特に６０％以下であることが好ましい。例えばサイド吸収体２３ｄの厚み（ｍｍ）は、中央吸収体２３ｃの厚み（ｍｍ）に対して、１０％以上７０％以下、特に２０％以上６０％以下であることが好ましい。本実施形態では、中央吸収体２３ｃは、下部吸収体２３ａと上部吸収体２３ｂの積層構造から構成されているところ、中央吸収体２３ｃの厚みとは、該中央吸収体２３ｃに対応する下部吸収体２３ａと上部吸収体２３ｂとの合計の厚みのことである。厚みは、無荷重下で、ＣＣＤレーザー変位計（KEYENCE, LK-080）を用いて測定される。
【００４０】
図７ないし図９には、本発明のおむつの別の実施形態が示されている。これらの実施形態に関し特に説明しない点については、図１ないし図６に示す実施形態に関して詳述した説明が適宜適用される。また、図７ないし図９において、図１ないし図６と同じ部材に同じ符号を付してある。図７ないし図９に示す実施形態のおむつ１０においては、表面シート２１の延出部位２１Ｅとの接合対象部材が、図１ないし図６に示す実施形態と相違している。以下、それぞれの実施形態について詳述する。
【００４１】
図７に示す実施形態のおむつ１０においては、表面シート２１の延出部位２１Ｅは、該延出部位２１Ｅよりも外装体３０側に位置し且つ該延出部位２１Ｅと隣接する部材であるバックシート２２と接合されている。両者は、接着剤４０ａによって接合されており、それによって接合部４３が形成されている。本実施形態においては、防漏カフ４０の固定部は、バックシート２２の両側部に位置している。
【００４２】
図８に示す実施形態のおむつ１０においては、バックシート２２が、外装体３０における内層シート３１と外層シート３２との間に配置されている。これらのシートのうち、吸収体２５に対向するシートは内層シート３１である。したがって、表面シート２１の延出部位２１Ｅは、該延出部位２１Ｅよりも外装体３０側に位置し且つ該延出部位２１Ｅと隣接する部材である内層シート３１と接合されている。
両者は、接着剤４０ａによって接合されており、それによって接合部４３が形成されている。本実施形態においては、防漏カフ４０の固定部は、内層シート３１の両側部に位置している。
【００４３】
図９に示す実施形態のおむつ１０は、外装体３０が単層構造になっている。外装体３０はバックシートを兼ねている。したがって、表面シート２１の延出部位２１Ｅは、単層の外装体３０と接合されている。両者は、接着剤４０ａによって接合されており、それによって接合部４３が形成されている。本実施形態においては、防漏カフ４０の固定部は、外装体３０の両側部に位置している。
【００４４】
以上の図７ないし図９に示す実施形態においても、図１ないし図６に示す実施形態と同様の有利な効果が奏される。
【００４５】
以上、本発明をその好ましい実施形態に基づき説明したが、本発明は前記実施形態に制限されない。例えば前記の各実施形態に係るおむつは、腹側部Ａから背側部Ｂまでの長手方向全長にわたって連続したシート３１，３２からなる外装体３０が配置されていたが、これに代えて、図１０に示すとおり、外装体３０が腹側シート部材３０Ａと背側シート部材３０Ｂに分断された分割タイプのパンツ型使い捨ておむつであってもよい。
【００４６】
上述した実施形態に関し、本発明は更に以下のパンツ型使い捨ておむつを開示する。
＜１＞
吸収性コアと、その外側に配置された外装体とを備えるパンツ型使い捨ておむつであって、
前記吸収性コアは、中央吸収体と、該中央吸収体の両側部に配置された、長手方向に延びる一対のサイド吸収体とを具備し、該中央吸収体と一対の該サイド吸収体との間それぞれに、長手方向に延びる開口からなる屈曲誘導部を有しており、
前記吸収性コアは、その肌対向面が表面シートで被覆されており、該表面シートは、該吸収性コアの両側縁から幅方向外方に延出した延出部位を有し、該延出部位が該吸収性コアの非肌対向面側に折り返されて、該非肌対向面を被覆しており、
前記表面シートの前記延出部位は、該延出部位よりも前記外装体側に位置し且つ該延出部位に隣接する部材と接合されており、
前記延出部位と前記延出部位に隣接する部材との接合位置が、前記屈曲誘導部よりも幅方向の外方にあり、
前記吸収性コアの両側縁に、該側縁に沿って弾性部材を配し、該弾性部材と前記接合位置との間で、前記サイド吸収体が屈曲するようにした、パンツ型使い捨ておむつ。
【００４７】
＜２＞
前記延出部位とそれに隣接する前記部材との接合領域、及び該延出部位と該部材との非接合領域が、幅方向に沿って、前記サイド吸収体の非肌対向面側に並設されている前記＜１＞に記載のパンツ型使い捨ておむつ。
＜３＞
前記外装体は、前記おむつの着用時に着用者の腹側に配される腹側部と、着用者の背側に配される背側部と、その間に位置する股下部とを有し、
前記外装体は、前記股下部において、前記延出部位と該延出部位に隣接する前記部材との接合位置よりも幅方向外方の位置に、レッグ弾性部材を有している前記＜１＞又は＜２＞に記載のパンツ型使い捨ておむつ。
＜４＞
前記レッグ弾性部材が、前記外装体の前記股下部におけるレッグ開口縁に沿って配置されている前記＜３＞に記載のパンツ型使い捨ておむつ。
＜５＞
前記レッグ弾性部材が、前記外装体の前記腹側部及び前記背側部のそれぞれにおいて別個に配されており、
前記腹側部に配された前記レッグ弾性部材が前記吸収性コアの側縁と交差する位置と、前記背側部に配された前記レッグ弾性部材が前記吸収性コアの側縁と交差する位置が異なっている前記＜３＞又は＜４＞に記載のパンツ型使い捨ておむつ。
＜６＞
前記レッグ弾性部材の伸縮領域における幅方向内側端部が、前記表面シートの延出部位と前記延出部位に隣接する部材との接合部の幅方向外側端部よりも内側に配されており、前記レッグ弾性部材の伸縮領域の一部が前記接合部の幅方向外側端部と交差する、前記＜３＞ないし＜５＞に記載のパンツ型使い捨ておむつ。
＜７＞
前記腹側部に配された前記レッグ弾性部材が前記吸収性コアの側縁と交差する位置と、前記背側部に配された前記レッグ弾性部材が前記吸収性コアの側縁と交差する位置が前記腹側部側に偏倚している前記＜３＞ないし＜６＞のいずれか１に記載のパンツ型使い捨ておむつ。
【００４８】
＜８＞
前記腹側部に配された前記レッグ弾性部材と、前記背側部に配された前記レッグ弾性部材とが交差する位置が、おむつを長手方向に前後に二等分する位置よりも前記腹側部側寄りに偏倚している前記＜７＞に記載のパンツ型使い捨ておむつ。
＜９＞
前記外装体は、前記腹側部又は前記背側部において、前記吸収性本体の両側縁よりも幅方向外方の位置に、幅方向に延びる胴周り弾性部材を有しており、
前記おむつの展開状態での平面視において、前記胴周り弾性部材の一部と前記レッグ弾性部材の一部とが重なっている前記＜３＞ないし＜８＞のいずれか１に記載のパンツ型使い捨ておむつ。
＜１０＞
前記吸収性コアの肌対向面及び非肌対向面が被覆シートで被覆されており、
前記吸収性コアの前記屈曲誘導部において、肌対向面側の前記被覆シートと、非肌対向面側の前記被覆シートとが接合されている前記＜１＞ないし＜９＞のいずれか１に記載のパンツ型使い捨ておむつ。
＜１１＞
前記表面シートのうち、一方の前記サイド吸収体の一部から、他方の前記サイド吸収体の一部にわたる幅方向の領域は、肌対向面が凹凸構造を有している前記＜１＞ないし＜１０＞のいずれか１に記載のパンツ型使い捨ておむつ。
＜１２＞
前記吸収性コアの前記サイド吸収体は、前記中央吸収体よりも坪量が低くなっている前記＜１＞ないし＜１１＞のいずれか１に記載のパンツ型使い捨ておむつ。
＜１３＞
前記外装体は、前記おむつの股下部において、該外装体の幅方向中央域に非伸縮性領域を有している前記＜１＞ないし＜１２＞のいずれか１に記載のパンツ型使い捨ておむつ。
【００４９】
＜１４＞
前記屈曲誘導部は前記吸収性コアの長手方向に延びているとともに、該吸収性コアの長手方向の各端縁までは延びておらず、該吸収性コアの長手方向Ｘの略中央域にのみ形成されている前記＜１＞ないし＜１３＞のいずれか１に記載のパンツ型使い捨ておむつ。
＜１５＞
前記屈曲誘導部は、前記吸収性コアの縦中心線に関して左右対称な位置に形成されており、
前記屈曲誘導部は、直線部及び該直線部の各端部に連なる円弧部によって画定される略弓形の細長い形状をしており、
前記屈曲誘導部においては、前記直線部が、前記吸収体の幅方向の外方寄りに位置し、前記円弧部が該吸収体の幅方向の内方寄りに位置している前記＜１＞ないし＜１４＞のいずれか１に記載のパンツ型使い捨ておむつ。
＜１６＞
前記延出部位の側縁は、前記屈曲誘導部を越えて、概ね前記中央吸収体にまで達している前記＜１＞ないし＜１５＞のいずれか１に記載のパンツ型使い捨ておむつ。
＜１７＞
長手方向に沿う両側部に一対の防漏カフを有し、
前記防漏カフを構成するシート材料は、前記サイド吸収体の非肌対向面側において、前記延出部位と、接着剤によって接合されている前記＜１＞ないし＜１６＞のいずれか１に記載のパンツ型使い捨ておむつ。
＜１８＞
前記サイド吸収体の非肌対向面側における前記接着剤による前記延出部位と前記シート材料との接合部は、該サイド吸収体の幅方向の全域に形成されておらず、前記屈曲誘導部側に偏倚した領域に形成されている前記＜１７＞に記載のパンツ型使い捨ておむつ。
【００５０】
＜１９＞
前記延出部位と該延出部位に隣接する前記部材との接合領域よりも幅方向の外方の領域には接着剤は施されておらず、該延出部位と該延出部位に隣接する該部材とは非接合状態になっている前記＜１＞ないし＜１８＞のいずれか１に記載のパンツ型使い捨ておむつ。＜２０＞
前記サイド吸収体は、前記中央吸収体に対して屈曲変形するとともに、該サイド吸収体自体が略Ｌ字をなすように屈曲する前記＜１＞ないし＜１９＞のいずれか１に記載のパンツ型使い捨ておむつ。
＜２１＞
長手方向に沿う両側部に一対の防漏カフを有し、
前記防漏カフを構成するシート材料は、前記サイド吸収体の非肌対向面側において、前記延出部位と接合されており、
前記防漏カフの固定端が、前記延出部位と、該シート材料との接合部よりも、幅方向の外方に位置している前記＜１＞ないし＜２０＞のいずれか１に記載のパンツ型使い捨ておむつ。
＜２２＞
長手方向に沿う両側部に一対の防漏カフを有し、
前記防漏カフの固定端又はその近傍の位置に弾性部材が配置されている前記＜１＞ないし＜２１＞のいずれか１に記載のパンツ型使い捨ておむつ。
【符号の説明】
【００５１】
１０  パンツ型使い捨ておむつ
２０  吸収性本体
２１  表面シート
２１Ｅ  表面シートの延出部位
２２  裏面シート
２２ａ  接着剤
２３  吸収性コア
２３ｃ  中央吸収体
２３ｄ  サイド吸収体
２３１ａ  開口
２４  被覆シート
２５  吸収体
２５’  弾性部材
３０  外装体
３４  レッグ弾性部材
３５  胴周り弾性部材
４０  防漏カフ
４０’  自由端
４０ａ  接着剤
４２  シート材料
４３  接合部
Ａ  腹側部
Ｂ  背側部
Ｃ  股下部
【図１】
0006674205.tif 000002
【図２】
0006674205.tif 000003
【図３】
0006674205.tif 000004
【図４】
0006674205.tif 000005
【図５】
0006674205.tif 000006
【図６】
0006674205.tif 000007
【図７】
0006674205.tif 000008
【図８】
0006674205.tif 000009
【図９】
0006674205.tif 000010
【図１０】
0006674205.tif 000011